(57)【特許請求の範囲】
【請求項１】
クラウン側開口を有するクラウン部と、
前記クラウン部と対向し、かつソール側開口を有するソール部と、
前記クラウン側開口と前記ソール側開口とを連通する内部空間を規定する壁部と、
フェース部、トウ部およびヒール部とを備え、
前記クラウン部側から見た前記内部空間の投影面積は、前記クラウン部側から見たゴルフクラブヘッドの投影面積の４０％以上９０％以下であり、
前記ソール側開口の形状は前記クラウン部側に向かって湾曲するアーチ形状を有しており、
前記フェース部、前記トウ部、前記ヒール部および前記ゴルフクラブヘッドの後端のそれぞれと前記壁部との間に中空領域が形成されており、前記ゴルフクラブヘッドの後端と前記壁部との間の前記中空領域にウェイト部が形成されている、ゴルフクラブヘッド。
【請求項２】
前記内部空間は仕切り部材で複数の空間部に仕切られている、請求項１に記載のゴルフクラブヘッド。
【請求項３】
蓋体をさらに備え、
前記蓋体が前記クラウン側開口を覆うように取り付けられている、請求項１または２に記載のゴルフクラブヘッド。
【請求項４】
前記クラウン部は
前記クラウン側開口の外周端部に設けられた受け部と、
前記受け部を架橋するように設けられた接合部とを含む、請求項３に記載のゴルフクラブヘッド。
【請求項５】
シャフトと、
前記シャフトの一方端に取り付けられたグリップと、
前記シャフトの前記グリップと反対側の他方端に取り付けられた請求項１〜４のいずれかに記載のゴルフクラブヘッドとを備えた、ゴルフクラブ。
【発明の詳細な説明】
【技術分野】
【０００１】
本発明は、ゴルフクラブヘッドおよびそれを備えたゴルフクラブに関するものである。
【背景技術】
【０００２】
ゴルフクラブでは、スイートスポットで打撃した場合に比べて、スイートスポットを外して打撃した場合にボールの飛距離が低下する。すなわち、スイートスポットを外して打撃した場合、スイートスポットから打点がずれることでゴルフクラブヘッドが重心まわりに回転する。この回転によってボールの飛距離が低下する。
【０００３】
この飛距離の低下を抑制するために、ゴルフクラブヘッドの回転を抑制することが提案されている。そして、ゴルフクラブヘッドの回転を抑制するために、ゴルフクラブヘッドの慣性モーメントを大きくすることが提案されている。
【０００４】
たとえば、特開２００５−２７８８００号公報（特許文献１）には、ゴルフクラブヘッドのスイートスポットとフェース中心とを一致させつつ、クラウン・ソール方向の重心まわりの慣性モーメントを大きくすることが開示されている。また、特開２００６−２９６５００号公報（特許文献２）には、ゴルフクラブヘッドに繊維強化樹脂材料部材を用いることで質量の増大を抑えつつ中空部の体積を増大させて慣性モーメントを増大させることが開示されている。また、特開２００７−７２７６号公報（特許文献３）には、ゴルフクラブヘッドにカーボン繊維強化材とチタン合金の繊維状物との積層体を用いることで軽量化と慣性モーメントの増大とを実現させることが開示されている。
【先行技術文献】
【特許文献】
【０００５】
【特許文献１】特開２００５−２７８８００号公報
【特許文献２】特開２００６−２９６５００号公報
【特許文献３】特開２００７−７２７６号公報
【発明の概要】
【発明が解決しようとする課題】
【０００６】
しかしながら、近年においては、ヘッド体積の上限がルールで定められており、ヘッド体積を増大させることで慣性モーメントを増大させることは難しくなってきている。特に、上記の各公報に記載された各ゴルフクラブヘッドは、あくまで従来のゴルフクラブヘッドの延長線上にある形状を有しているため、ゴルフクラブヘッドの慣性モーメントを大きく向上することは困難である。
【０００７】
本発明は、上記課題を鑑みてなされたものであり、その目的は、慣性モーメントを大きく向上することができるゴルフクラブヘッドおよびそれを備えたゴルフクラブを提供することである。
【課題を解決するための手段】
【０００８】
本発明のゴルフクラブヘッドは、クラウン側開口を有するクラウン部と、クラウン部と対向し、かつソール側開口を有するソール部と、クラウン側開口とソール側開口とを連通する内部空間を規定する壁部とフェース部、トウ部およびヒール部とを備えている。クラウン部側から見た内部空間の投影面積は、設定されているロフト角およびライ角をなすようにゴルフクラブヘッドを水平面に設置した状態（以下、設置状態という。）において、クラウン部側から見たゴルフクラブヘッドの投影面積の４０％以上９０％以下である。ソール側開口の形状はクラウン部側に向かって湾曲するアーチ形状を有している。フェース部、トウ部、ヒール部およびゴルフクラブヘッドの後端のそれぞれと壁部との間に中空領域が形成されており、ゴルフクラブヘッドの後端と壁部との間の中空領域にウェイト部が形成されている。
【０００９】
本発明のゴルフクラブヘッドによれば、クラウン側開口とソール側開口とを連通する内部空間によって、ゴルフクラブヘッドを大幅に軽量化することができる。この軽量化によって生じた余剰質量をヘッド本体のより外側に近い部分に配分することで、ゴルフクラブヘッドの重心から離れた部分に質量を重点的に配分することができる。これにより、ゴルフクラブヘッドの慣性モーメントを大きく向上することができる。また、余剰質量を任意の位置に配置することができ、設計の自由度を上げることができる。以上より、所望の性能を有するゴルフクラブヘッドを得ることが可能となる。
【００１０】
ゴルフクラブヘッドの慣性モーメントを大きく向上することで、スイートスポットを外して打撃した場合にゴルフクラブヘッドが重心まわりに回転することを抑制することができる。これにより、スイートスポットを外して打撃した場合にボールの飛距離低下の程度を軽減することができる。
【００１１】
また、クラウン側開口とソール側開口とを連通する内部空間を規定する壁部によってクラウン側開口とソール側開口とが支持されているため、ゴルフクラブヘッドの剛性を維持することができる。したがって、ゴルフクラブヘッドの剛性を維持しつつ慣性モーメントを大きく向上することができる。
【００１２】
そして、クラウン部側から見た内部空間の投影面積をクラウン部側から見たゴルフクラブヘッドの投影面積の４０％以上とすることで大きな余剰質量を生じさせることができる。また、クラウン部側から見た内部空間の投影面積をクラウン部側から見たゴルフクラブヘッドの投影面積の９０％以下とすることで強度を確保することができる。
【００１３】
上記のゴルフクラブヘッドでは、好ましくは、内部空間は仕切り部材で複数の空間部に仕切られている。これにより、仕切り部材が内部空間に支持されているため、ゴルフクラブヘッドの剛性をさらに向上することができる。
【００１４】
上記のゴルフクラブヘッドでは、好ましくは、蓋体をさらに備え、蓋体がクラウン側開口を覆うように取り付けられている。蓋体がクラウン側開口を覆うことで、クラウン部を補強することができると同時に、外観の違和感をなくすことができる。
【００１５】
上記のゴルフクラブヘッドでは、好ましくは、クラウン部はクラウン側開口の外周端部に設けられた受け部と、受け部を架橋するように設けられた接合部とを含む。受け部および接合部を蓋体と接着することができるため、蓋体の接着面積を増やすことができる。このため、蓋体の接着強度を増すことができる。
【００１６】
本発明のゴルフクラブは、シャフトと、シャフトの一方端に取り付けられたグリップと、シャフトのグリップと反対側の他方端に取り付けられた上記のゴルフクラブヘッドとを備えている。これにより、大きな慣性モーメントを有したゴルフクラブを得ることができる。
【発明の効果】
【００１７】
以上説明したように、本発明のゴルフクラブヘッドおよびゴルフクラブによれば、慣性モーメントを大きく向上することができるゴルフクラブヘッドおよびそれを備えたゴルフクラブを提供することができる。
【図面の簡単な説明】
【００１８】
【図１】本発明の一実施の形態におけるゴルフクラブヘッドの概略上面図である。
【図２】本発明の一実施の形態におけるゴルフクラブヘッドのヒール側から見た概略側面図である。
【図３】本発明の一実施の形態におけるゴルフクラブヘッドの概略斜視図である。
【図４】図１のＩＶ−ＩＶ線に沿う概略断面図である。
【図５】図１のＶ−Ｖ線に沿う概略断面図である。
【図６】本発明の一実施の形態におけるゴルフクラブヘッドおよび内部空間の投影面積を示す概略上面図である。
【図７】本発明の一実施の形態におけるゴルフクラブヘッドの投影面積を示す概略上面図である。
【図８】本発明の一実施の形態におけるゴルフクラブヘッドの外側部材の概略斜視図である。
【図９】図８のＩＸ−ＩＸに沿う概略断面図である。
【図１０】本発明の一実施の形態におけるゴルフクラブヘッドの内側部材の概略斜視図である。
【図１１】図１０のＸＩ−ＸＩに沿う概略断面図である。
【図１２】本発明の一実施の形態におけるゴルフクラブヘッドの変形例１の概略斜視図である。
【図１３】本発明の一実施の形態におけるゴルフクラブヘッドの変形例２の概略斜視図である。
【図１４】本発明の一実施の形態におけるゴルフクラブヘッドの変形例３の概略斜視図である。
【図１５】本発明の一実施の形態におけるゴルフクラブヘッドの変形例４の概略斜視図である。
【図１６】本発明の一実施の形態におけるゴルフクラブの概略背面図である。
【図１７】本発明の概念が反映されたゴルフクラブヘッドの概略斜視図である。
【図１８】本発明の概念が反映されたゴルフクラブヘッドの概略上面図である。
【図１９】本発明の概念が反映されたゴルフクラブヘッドの一の例の概略斜視図である。
【図２０】本発明の概念が反映されたゴルフクラブヘッドの他の例の概略斜視図である。
【発明を実施するための形態】
【００１９】
以下、本発明の実施の形態について図に基づいて説明する。
最初に本発明の一実施の形態のゴルフクラブヘッドの構成について説明する。
【００２０】
図１から図３を参照して、ゴルフクラブヘッド１０は、ウッド型ゴルフクラブヘッドである。ゴルフクラブヘッド１０は、クラウン部１と、ソール部２と、壁部３と、ホーゼル部４と、フェース部５と、リーディングエッジ部６と、トウ部７と、ヒール部８と、トップエッジ部９とを主に有している。
【００２１】
クラウン部１はゴルフクラブヘッド１０の上部を構成する部分である。クラウン部１はソール部２の上面を覆うように配置されている。クラウン部１はクラウン側開口１ａを有している。クラウン側開口１ａはたとえばクラウン部１側から見て略円形に形成されている。
【００２２】
ソール部２はゴルフクラブヘッド１０の底部を構成する部分である。ソール部２はソール側開口２ａを有している。ソール側開口２ａはたとえばソール部２側から見て略円形に形成されている。ソール側開口２ａの形状はクラウン部１側に向かって湾曲するアーチ形状を有していてもよい。これにより、打撃の際にソール部２と地面との接触面積を少なくすることができるため、ソール部２と地面との接触による摩擦を低減することができる。このため、ソール部２と地面との接触によって生じるヘッドスピードの低減を抑制することができる。
【００２３】
壁部３は、クラウン側開口１ａとソール側開口２ａとを連通する内部空間ＩＳを規定するように構成されている。内部空間ＩＳは壁部３で囲まれた空間である。内部空間ＩＳにはゴルフクラブヘッド１０の構成部材は配置されていない。ゴルフクラブヘッド１０の重心は内部空間ＩＳに位置している。壁部３は、クラウン側開口１ａの外周端とソール側開口２ａの外周端とをつなぐように形成されている。クラウン側開口１ａおよびソール側開口２ａの全周をつなぐことで壁部３での応力集中を抑制することができる。
【００２４】
ホーゼル部４はシャフト（図１６）に接続される部分である。フェース部５は打球面を有している。打球面には、図示しない複数のスコアライン（溝）部が形成されていてもよい。リーディングエッジ部６はソール部２とフェース部５とが接する部分である。トウ部７はホーゼル部４から離れた側のトップエッジ部９とソール部２とを接続する部分である。ヒール部８はホーゼル部４の下端からソール部２に至る部分である。トップエッジ部９はホーゼル部４からトウ部７に至るゴルフクラブヘッド１０の上端縁部を構成する部分である。
【００２５】
図４および図５を参照して、壁部３は、クラウン側開口１ａからソール側開口２ａまで連続するように形成されている。内部空間ＩＳはクラウン部１側からソール部２側まで略同じ直径を有している。つまり、クラウン側開口１ａの直径とソール側開口２ａの直径とは略同じ寸法を有している。
【００２６】
なお、クラウン側開口１ａの直径とソール側開口２ａの直径とは略同じ寸法を有していなくてもよい。すなわち、クラウン側開口１ａの直径がソール側開口２ａの直径より大きくてもよい。この場合、内部空間ＩＳはクラウン側開口１ａからソール側開口２ａに向かって径が小さくなるテーパ状に形成されている。またソール側開口２ａの直径がクラウン側開口１ａの直径より大きくてもよい。この場合、内部空間ＩＳはクラウン側開口１ａからソール側開口２ａに向かって径が大きくなるテーパ状に形成されている。
【００２７】
ゴルフクラブヘッド１０は、壁部３とフェース部５との間に中空領域を有している。同様に壁部３とトウ部７との間および壁部３とヒール部８との間にも中空領域が形成されている。一方、壁部３とゴルフクラブヘッド１０の後端との間にも中空領域が形成されているが、当該領域にはウェイト部１１が形成されている。ウェイト部１１によってゴルフクラブヘッド１０の質量配分を調整することができる。ウェイト部１１によってゴルフクラブヘッド１０の重心から離れた位置にウェイト部１１を位置させることで慣性モーメントを大きくすることができる。
【００２８】
図６および図７を参照して、クラウン部１側から見た内部空間ＩＳの投影面積ＰＡ１およびクラウン部１側から見たゴルフクラブヘッド１０の投影面積ＰＡ２について説明する。クラウン部１側から見た内部空間ＩＳの投影面積ＰＡ１は、設置状態でクラウン部１側からソール部２側に見た状態で、クラウン部１側の開口１ａを水平面上に投影して得られるクラウン側開口１ａの面積と、ソール部２側の開口２ａを水平面上に投影して得られるソール側開口２ａの面積のうち、いずれか小さいほうの面積である。また、クラウン部１側から見たゴルフクラブヘッド１０の投影面積ＰＡ２は、クラウン部１側からソール部２側に見た状態でクラウン部１を水平面上に描いた面積である。
【００２９】
図６は、設置状態でゴルフクラブヘッド１０をクラウン部１側から見た図であり、クラウン側開口１ａとソール側開口２ａの面積とが略等しく、かつクラウン側開口１ａとソール側開口２ａとが水平面上で互いに重なり合う位置関係にある場合を示している。図６においては、クラウン側開口１ａとソール側開口２ａの面積は略同一であるので、内部空間ＩＳの投影面積ＰＡ１は、クラウン側開口１ａの面積、もしくはソール部２側開口２ａの面積のいずれかに相当する。図６に示すようにクラウン部１側から見た内部空間ＩＳの投影面積ＰＡ１は、クラウン部１側から見たゴルフクラブヘッド１０の投影面積ＰＡ２の４０％以上９０％以下であることが好ましい。なお、図７に説明の便宜のため、ゴルフクラブヘッド１０のクラウン部１側から見た投影面積ＰＡ２を示す。
【００３０】
クラウン部１側から見たゴルフクラブヘッド１０の投影面積ＰＡ２は、たとえば１２７１５．６ｍｍ2とされ得る。図６に示すように、クラウン部１側から見た内部空間ＩＳの投影面積ＰＡ１は、たとえば８４５９．７ｍｍ2とされ得る。この場合、内部空間ＩＳの投影面積ＰＡ１はゴルフクラブヘッド１０の投影面積ＰＡ２の約６７％となる。
【００３１】
また、内部空間ＩＳが設けられていないゴルフクラブヘッド１０の質量と略同等の質量を有する内部空間ＩＳが設けられたゴルフクラブヘッド１０では、クラウン部１側から見た内部空間ＩＳの投影面積ＰＡ１は、たとえば５２２２．７ｍｍ2となる。この場合、内部空間ＩＳの投影面積ＰＡ１はゴルフクラブヘッド１０の投影面積ＰＡ２の約４１％となる。内部空間ＩＳの投影面積ＰＡ１のゴルフクラブヘッド１０の投影面積ＰＡ２に対する割合はゴルフクラブヘッド１０本体形状にも影響されるため、その割合が概ね４０％以上で軽量化の効果が奏される。
【００３２】
また、クラウン部１側から見た内部空間ＩＳの投影面積ＰＡ１がクラウン部１側から見たゴルフクラブヘッド１０の投影面積ＰＡ２の９０％を超えるとヘッド本体の耐久性を確保することが難しい。さらにゴルフクラブヘッド１０の製造が困難である。
【００３３】
なお、クラウン側開口１ａの面積と、ソール部側開口２ａの面積とが異なる場合は、面積が小さいほうの開口部の投影面積ＰＡ１の、ゴルフクラブヘッド１０の投影面積ＰＡ２に対する割合を概ね４０％以上とし、且つ面積が大きいほうの開口部の投影面積ＰＡ１の、ゴルフクラブヘッド１０の投影面積ＰＡ２に対する割合を概ね９０％以下とすればよく、これにより、軽量化と強度確保の効果を得ることができる。
【００３４】
次に、本実施の形態のゴルフクラブヘッドの製造方法について説明する。
本実施の形態のゴルフクラブヘッド１０は様々な方法で製造可能である。たとえば、ゴルフクラブヘッド１０の上部部材（クラウン部１側部材）と下部部材（ソール部２側部材）とがそれぞれ鋳造される。上部部材と下部部材との割面において両部材が溶接される。上部部材は全て鋳造で作製されてもよく、またフェース部５が板溶接されてもよい。またウェイト部１１は下部部材の作製後に溶接されてもよく、また下部部材と一体的に鋳造で作製されてもよい。
【００３５】
また、ゴルフクラブヘッド１０のフロント部が鍛造によるカップフェースで作製されてもよい。この場合、ホーゼル部４はフロント部に溶接される。
【００３６】
また、クラウン部１、ホーゼル部４、フェース部５、ソール部２及びサイド部は鍛造で作製されてもよい。この場合、クラウン部１およびソール部２にはトリム型で開口が形成されてもよい。壁部３は円筒状の鋳造品が用いられてもよく、もしくは一般的な製法で得られたパイプを用いてもよい。
【００３７】
また、図８〜図１１を参照して、ゴルフクラブヘッド１０は、鋳造で作製された外側部材１０ａと内側部材１０ｂとが溶接されて作製されてもよい。図８および図９を参照して、外側部材１０ａは壁部３以外で構成されている。図１０および図１１を参照して、内側部材１０ｂは壁部３で構成されている。外側部材１０ａと内側部材１０ｂとがクラウン開口１ａを構成する部分およびソール側開口２ａを構成する部分で互いに溶接される。フェース部５は板もしくはカップ状のものを後から溶接してもよい。この製造方法によれば、ゴルフクラブヘッド１０を容易に製造することができる。
【００３８】
続いて、本実施の形態のゴルフクラブヘッドの変形例について説明する。
図１２を参照して、本実施の形態のゴルフクラブヘッド１０の変形例１は、仕切り部材１２を備えている。内部空間ＩＳは仕切り部材１２で複数の空間部ＳＰに仕切られている。仕切り部材１２が内部空間ＩＳの一方側から他方側に伸びるように設けられているため、ゴルフクラブヘッド１０の剛性が向上する。
【００３９】
変形例１では、仕切り部材１２はフェース部５側から後方側に伸びるように設けられており、かつトウ部７側からヒール部８側に伸びるように設けられている。仕切り部材１２がフェース部５側から後方側に伸びているため打撃の際の剛性を高めることができる。仕切り部材１２は内部空間ＩＳの中央で交差するように設けられている。その結果、仕切り部材１２によって内部空間ＩＳは４つの空間部ＳＰに区切られている。
【００４０】
図１３を参照して、本実施の形態のゴルフクラブヘッド１０の変形例２は、変形例１と比較して仕切り部材１２の厚みが大きくなるように形成されている。仕切り部材１２の内部も中空状に形成されている。また、クラウン部１と壁部３との接合部分は、内部空間ＩＳの内側に向かってテーパ状に形成されている。
【００４１】
図１４を参照して、本実施の形態のゴルフクラブヘッド１０の変形例３は、蓋体１３を備えている。蓋体１３はクラウン側開口１ａを覆うように取り付けられている。蓋体１３の外周部がクラウン側開口１ａの外周端部に接着剤で接着されていてもよい。蓋体１３は軽量であることが好ましい。
【００４２】
図１５を参照して、クラウン部１は、受け部１４と接合部１５とを含んでいる。受け部１４はクラウン側開口１ａの外周端部に設けられている。受け部１４は、クラウン側開口１ａの外周端部に沿って一定の幅を有していてよい。接合部１５は受け部１４を架橋するように設けられている。
【００４３】
接合部１５はフェース部５側から後方側に伸びるように設けられており、かつトウ部７側からヒール部８側に伸びるように設けられている。接合部１５がフェース部５側から後方側に伸びているため打撃の際の剛性を高めることができる。仕切り部材１２は平面視において内部空間ＩＳの中央で交差するように設けられている。受け部１４および接合部１５に蓋体１３が接着剤で接着される。このように蓋体１３を設けることで、従来のゴルフクラブヘッドと同様の外観とすることができる。
【００４４】
次に、本実施の形態のゴルフクラブの構成について説明する。
図１６を参照して、ゴルフクラブヘッド１０にシャフト２１およびグリップ２２を組み合わせることでゴルフクラブ２０が構成される。ゴルフクラブ２０は、シャフト２１と、シャフト２１の一方端に取り付けられたグリップ２２と、シャフト２１のグリップ２２と反対側の他方端に取り付けられたゴルフクラブヘッド１０とを有している。なお、シャフト２１およびグリップ２２は周知のものを採用可能である。また、ゴルフクラブヘッド１０のホーゼル部４に隣接するようにシャフト２１にソケット２３が取り付けられている。
【００４５】
次に、本実施の形態の作用効果について説明する。
本実施の形態のゴルフクラブヘッド１０によれば、クラウン側開口１ａとソール側開口２ａとを連通する内部空間ＩＳによって、ゴルフクラブヘッド１０を大幅に軽量化することができる。この軽量化によって生じた余剰質量をヘッド本体のより外側に近い部分に配分することで、ゴルフクラブヘッド１０の重心から離れた部分に質量を重点的に配分することができる。これにより、ゴルフクラブヘッド１０の慣性モーメントを大きく向上することができる。また、余剰質量を任意の位置に配置することができ、設計の自由度を上げることができる。以上より、所望の性能を有するゴルフクラブヘッドを得ることが可能となる。
【００４６】
ゴルフクラブヘッド１０の慣性モーメントを大きく向上することで、スイートスポットを外して打撃した場合にゴルフクラブヘッド１０が重心まわりに回転することを抑制することができる。これにより、スイートスポットを外して打撃した場合にボールの飛距離低下の程度を軽減することができる。
【００４７】
また、クラウン側開口１ａとソール側開口２ａとを連通する内部空間ＩＳを規定する壁部３によってクラウン側開口１ａとソール側開口２ａとが支持されているため、ゴルフクラブヘッド１０の剛性を維持することができる。したがって、ゴルフクラブヘッド１０の剛性を維持しつつ慣性モーメントを大きく向上することができる。
【００４８】
そして、クラウン部１側から見た内部空間ＩＳの投影面積ＰＡ１をクラウン部１側から見たゴルフクラブヘッド１０の投影面積ＰＡ２の４０％以上とすることで大きな余剰質量を生じさせることができる。また、クラウン部１側から見た内部空間ＩＳの投影面積ＰＡ１をクラウン部１側から見たゴルフクラブヘッド１０の投影面積ＰＡ２の９０％以下とすることで強度を確保することができる。
【００４９】
本実施の形態のゴルフクラブヘッド１０では、内部空間ＩＳは仕切り部材１２で複数の空間部ＳＰに仕切られていることが好ましい。これにより、仕切り部材１２が内部空間ＩＳに支持されているため、ゴルフクラブヘッド１０の剛性をさらに向上することができる。
【００５０】
本実施の形態のゴルフクラブヘッド１０では、蓋体１３をさらに備え、蓋体１３がクラウン側開口１ａを覆うように取り付けられていることが好ましい。蓋体１３がクラウン側開口１ａを覆うことで、クラウン部１を補強することができると同時に、外観の違和感をなくすことができる。また外観を損なうことはない。
【００５１】
本実施の形態のゴルフクラブヘッド１０では、クラウン部１はクラウン側開口１ａの外周端部に設けられた受け部１４と、受け部１４を架橋するように設けられた接合部１５とを含んでいることが好ましい。受け部１４および接合部１５を蓋体１３と接着することができるため、蓋体１３の接着面積を増やすことができる。このため、蓋体の接着強度を増すことができる。また、蓋体１３を接着しやすくすることができる。
【００５２】
本実施の形態のゴルフクラブ２０は、上記のゴルフクラブヘッド１０を備えている。これにより、大きな慣性モーメントを有したゴルフクラブ２０を得ることができる。
【００５３】
本実施の形態のゴルフクラブヘッドの構成は上記の構成に限られない。ゴルフクラブヘッドは本発明の概念が反映された構成であればよい。続いて、本発明の概念について、本発明の概念が反映されたゴルフクラブヘッドに基づいて説明する。
【００５４】
図１７および図１８を参照して、本発明の概念が反映されたゴルフクラブヘッド１０は、フロント部ＦＰとフロント部ＦＰの後方に取り付けられたリング部ＲＰとを有している。フロント部ＦＰとリング部ＲＰとの上部がクラウン相当部分を構成している。クラウン相当部分がクラウン部１に該当する。クラウン側開口１ａはクラウン部１の上端部に形成されている。つまり、クラウン側開口１ａはリング部ＲＰの上端部に位置している。
【００５５】
フロント部ＦＰの下部、フロント部ＦＰの下部からリング部ＲＰに繋がるバック部ＢＰの一部およびリング部ＲＰの下部がソール相当部分を構成している。ソール相当部分がソール部２に該当する。ソール側開口２ａはソール部２の下端部に形成されている。つまり、ソール側開口２ａはリング部ＲＰの下端部に位置している。
【００５６】
リング部ＲＰの内周部とリング部ＲＰに挟まれたバック部ＢＰの部分が壁相当部分を構成している。壁相当部分が壁部３に該当する。壁部３で規定された空間が内部空間ＩＳに該当する。リング部ＲＰが円柱形状を有しているため、内部空間ＩＳの面積は、クラウン側開口１ａおよびソール側開口２ａで大きくなり、リング部ＲＰの内径側（クラウン側開口１ａおよびソール側開口２ａの中間位置）で小さくなる。クラウン部１側から見た内部空間ＩＳの投影面積ＰＡ１は、リング部ＲＰの最も内径側での面積が該当する。
【００５７】
ホーゼル部４はフロント部ＦＰに設けられている。フェース部５はフロント部ＦＰの前方に設けられている。フロント部ＦＰにリーディングエッジ部６、トウ部７、ヒール部８およびトップエッジ部９が設けられている。
【００５８】
本発明の概念が反映されたゴルフクラブヘッド１０は様々な方法で製造可能である。たとえば、フロント部ＦＰが鋳造されてもよい。また、たとえばフェース部５が板溶接されてもよい。曲げ加工されたリング部ＲＰがバック部ＢＰに溶接されてもよい。またリング部ＲＰは予め湾曲した状態に鋳造されてもよい。ウェイト部１１がリング部ＲＰに設けられてもよい。
【００５９】
また、図１９を参照して、仕切り部材１２が設けられていてもよい。この一の例では、仕切り部材１２はバック部ＢＰからリング部ＲＰの後端に伸びるように設けられている。この結果、２つの空間部ＳＰが設けられている。
【００６０】
また、図２０を参照して、仕切り部材１２は、リング部ＲＰとバック部ＢＰとで規定される空間の中央で交差するように設けられていてもよい。この他の例では、仕切り部材１２によって、４つの空間部ＳＰが設けられている。
【００６１】
また、上記と同様に蓋体が設けられてもよい。この場合、蓋体は、クラウン側開口１ａを覆うように設けられていることが好ましい。
【００６２】
このように、本発明の概念が反映されていれば、上記と同様の効果を奏することができる。
【実施例】
【００６３】
以下、本発明の実施例について説明する。
表１〜表３を参照して、本発明例１〜３は、本発明の実施例である。本発明例１〜３は上記の実施の形態と同様の構成を有しており、クラウン側開口１ａの面積と、ソール部側開口２ａの面積は略同一である。比較例１〜３は本発明に対する比較例である。比較例１〜３は、クラウン側開口およびソール側開口を有していない。そのため内部空間が形成されていない。
【００６４】
表１〜表３に示すように、ゴルフクラブヘッドの全体の質量が１８０ｇ、１９０ｇ、２００ｇのそれぞれの場合について、トウヒール方向の慣性モーメントＴＨおよびクラウンソール方向（上下方向）ＵＤの慣性モーメントを算出した。
【００６５】
【表１】
0005583717.tif 000002
【００６６】
【表２】
0005583717.tif 000003
【００６７】
【表３】
0005583717.tif 000004
【００６８】
表１を参照して、ゴルフクラブヘッドの全体の質量が１８０ｇの場合、比較例１のトウヒール方向の慣性モーメントＴＨおよびクラウンソール方向の慣性モーメントＵＤはそれぞれ４２８０ｇ・ｃｍ2、２６８０ｇ・ｃｍ2となった。一方、本発明例１のトウヒール方向の慣性モーメントＴＨおよびクラウンソール方向の慣性モーメントＵＤはそれぞれ５０５０ｇ・ｃｍ2、３３１０ｇ・ｃｍ2となった。
【００６９】
これより、本発明例１のトウヒール方向の慣性モーメントＴＨは、比較例１より大きくなった。また、本発明例１のクラウンソール方向の慣性モーメントＵＤは、比較例１より大きくなった。
【００７０】
本発明例１のトウヒール方向の慣性モーメントＴＨは４５００ｇ・ｃｍ2以上となり、本発明例１のクラウンソール方向の慣性モーメントＵＤは３０００ｇ・ｃｍ2以上となった。
【００７１】
表２を参照して、ゴルフクラブヘッドの全体の質量が１９０ｇの場合、比較例２のトウヒール方向の慣性モーメントＴＨおよびクラウンソール方向の慣性モーメントＵＤはそれぞれ４７８０ｇ・ｃｍ2、２７２０ｇ・ｃｍ2となった。一方、本発明例２のトウヒール方向の慣性モーメントＴＨおよびクラウンソール方向の慣性モーメントＵＤはそれぞれ５５００ｇ・ｃｍ2、３７４０ｇ・ｃｍ2となった。
【００７２】
これより、本発明例２のトウヒール方向の慣性モーメントＴＨは、比較例２より大きくなった。また、本発明例２のクラウンソール方向の慣性モーメントＵＤは、比較例２より大きくなった。
【００７３】
表３を参照して、ゴルフクラブヘッドの全体の質量が２００ｇの場合、比較例３のトウヒール方向の慣性モーメントＴＨおよびクラウンソール方向の慣性モーメントＵＤはそれぞれ５１６０ｇ・ｃｍ2、２８１０ｇ・ｃｍ2となった。一方、本発明例３のトウヒール方向の慣性モーメントＴＨおよびクラウンソール方向の慣性モーメントＵＤはそれぞれ５９２０ｇ・ｃｍ2、４０７０ｇ・ｃｍ2となった。
【００７４】
これより、本発明例３のトウヒール方向の慣性モーメントＴＨは、比較例３より大きくなった。また、本発明例３のクラウンソール方向の慣性モーメントＵＤは、比較例３より大きくなった。
【００７５】
次に、クラウン部側から見た内部空間の投影面積ＰＡ１のクラウン部側から見たゴルフクラブヘッドの投影面積ＰＡ２に対する比率（投影比率）によるゴルフクラブヘッドの質量について検討した。
【００７６】
表４に示すように、ゴルフクラブヘッドのヘッド質量と、内部空間の投影面積ＰＡ１の投影面積ＰＡ２に対する比率（投影比率）とを測定した。
【００７７】
【表４】
0005583717.tif 000005
【００７８】
表４を参照して、本発明例４および５は、本発明の実施例である。本発明例４および５は上記の実施の形態と同様の構成を有している。比較例４〜６は本発明に対する比較例である。比較例４は、クラウン側開口およびソール、側開口を有していない。そのため内部空間が形成されていない。また、比較例５および６は内部空間を有しているが、投影比率が本発明例４および５と比較して小さい点で本発明例４および５と異なっている。
【００７９】
内部空間が形成されていない比較例４のヘッド質量は１８０ｇである。内部空間が形成されている比較例５および６はヘッド質量はそれぞれ１８７ｇと１８１．８ｇである。比較例４と比較して比較例５および６のヘッド質量は重くなっている。これは、比較例５および６の壁部の質量が比較例４のクラウン部およびソール部の質量より重くなっているためである。
【００８０】
内部空間が形成されていないため、比較例４ではクラウン部側から見た内部空間の投影面積ＰＡ１は０（ゼロ）である。比較例４の投影面積ＰＡ２は１２７１５．６ｍｍ2である。比較例５および６では、投影面積ＰＡ１はそれぞれ３７６９．８ｍｍ2および４９４７．９ｍｍ2である。なお比較例５および６でも投影面積ＰＡ２は１２７１５．６ｍｍ2である。比較例５および６では、投影面積ＰＡ１の投影面積ＰＡ２に対する比率（投影比率）はそれぞれ３０％および３９％である。
【００８１】
本発明例４のヘッド質量は、比較例４のヘッド質量と同じく１８０ｇである。本発明例４では投影面積ＰＡ１は５２２２．７ｍｍ2である。なお本発明例４でも投影面積ＰＡ２は１２７１５．６ｍｍ2である。本発明例４では投影比率は４１％である。また、本発明例５のヘッド質量は比較例４のヘッド質量より軽い１７９ｇである。本発明例５では投影面積ＰＡ１は５３８７．７ｍｍ2である。本発明例５では投影比率は４２％となる。
【００８２】
以上より、本発明例４では、比較例４と同じヘッド質量とすることができることがわかった。また、本発明例５では、比較例４と比較して軽量化できることがわかった。これにより、投影比率が４１％を超えると比較例４と比較して軽量化できることがわかった。投影比率は、ゴルフクラブヘッド本体の形状にも影響されるため、投影比率が概ね４０％以上で軽量化できると考えられる。
【００８３】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００８４】
本発明は、ゴルフクラブヘッドおよびゴルフクラブに特に有利に適用され得る。
【符号の説明】
【００８５】
１  クラウン部、１ａ  クラウン側開口、２  ソール部、２ａ  ソール側開口、３  壁部、４  ホーゼル部、５  フェース部、６  リーディングエッジ部、７  トウ部、８  ヒール部、９  トップエッジ部、１０  ゴルフクラブヘッド、１１  ウェイト部、２０  ゴルフクラブ、２１  シャフト、２２  グリップ、２３  ソケット、ＩＳ  内部空間、ＰＡ１  内部空間の投影面積、ＰＡ２  ゴルフクラブヘッドの投影面積。
【図１】
0005583717.tif 000006
【図２】
0005583717.tif 000007
【図３】
0005583717.tif 000008
【図４】
0005583717.tif 000009
【図５】
0005583717.tif 000010
【図６】
0005583717.tif 000011
【図７】
0005583717.tif 000012
【図８】
0005583717.tif 000013
【図９】
0005583717.tif 000014
【図１０】
0005583717.tif 000015
【図１１】
0005583717.tif 000016
【図１２】
0005583717.tif 000017
【図１３】
0005583717.tif 000018
【図１４】
0005583717.tif 000019
【図１５】
0005583717.tif 000020
【図１６】
0005583717.tif 000021
【図１７】
0005583717.tif 000022
【図１８】
0005583717.tif 000023
【図１９】
0005583717.tif 000024
【図２０】
0005583717.tif 000025